(57)【要約】【課題】配線を混在させることなく容易に配線ができる照明器具を提供する。【解決手段】矩形の短手方向の中央の位置に設けられた電源孔、及び電源孔を中央として長手方向の両側の位置に設けられた第１及び第２取付孔を有する器具ケースと、器具ケースの長手方向の両端部に設けられた給電用及び接地用のソケットと、ランプを点灯する第１電源装置と、停電時にランプを点灯する第２電源装置と、停電時に第２電源装置に電力を供給する蓄電池とを備え、第１電源装置は、第１取付孔よりも器具ケースの短手方向の一端部側寄りの位置であって、給電用のソケット寄りに設置され、第２電源装置は、器具ケースの短手方向の一端部と電源孔との間の位置であって、第１電源装置と第２取付孔との間に設置され、蓄電池は、器具ケースの短手方向の他端部側寄りの位置であって、電源孔を挟むように第２電源装置と並列に設置されている。【選択図】図３
2018101611.tif 000002
【特許請求の範囲】
【請求項１】
矩形の平板状に形成され、短手方向の中央の位置に厚み方向に貫通する電源孔、及び長手方向の前記電源孔を挟む両側の位置にそれぞれ厚み方向に貫通する第１及び第２取付孔を有する器具ケースと、
前記器具ケースの長手方向の両端部に設けられ、直管形のランプが接続される給電用及び接地用のソケットと、
交流電源の電力を用いて前記ランプを点灯する第１電源装置と、
交流電源からの給電が停止したときに前記ランプを点灯する第２電源装置と、
前記給電が停止したときに前記第２電源装置に電力を供給する蓄電池と
を備え、
前記第１電源装置は、前記第１取付孔よりも前記器具ケースの短手方向の一端部側寄りの位置であって、前記器具ケースの長手方向に沿って前記給電用のソケット寄りに設置され、
前記第２電源装置は、前記器具ケースの短手方向の一端部と前記電源孔との間の位置であって、前記第１電源装置と前記第２取付孔との間に前記器具ケースの長手方向に沿って設置され、
前記蓄電池は、前記器具ケースの短手方向の他端部側寄りの位置であって、前記電源孔を挟むように前記第２電源装置と並列に設置されていることを特徴とする照明器具。
【請求項２】
前記第２電源装置は、前記器具ケースの短手方向の一端部と前記電源孔との間の位置であって、前記第１電源装置よりも前記器具ケースの短手方向の中央側寄りに設置されていることを特徴とする請求項１記載の照明器具。
【請求項３】
前記蓄電池は、前記器具ケースの短手方向の他端部と前記電源孔との間の位置であって、当該電源孔との間に空間を隔てて設置されていることを特徴とする請求項１又は２に記載の照明器具。
【請求項４】
前記第２電源装置を、前記蓄電池とで前記電源孔を挟むように、前記第１電源装置に対し、前記器具ケースの短手方向の他端部側に斜めに設置したことを特徴とする請求項１記載の照明器具。
【請求項５】
前記第２電源装置は、前記電源孔側の端部が、前記電源孔よりも前記器具ケースの短手方向の他端部側に位置することを特徴とする請求項４記載の照明器具。
【請求項６】
前記第２電源装置は、前記電源孔側の端部とは反対側の端部が、前記電源孔よりも前記器具ケースの短手方向の一端部側に位置することを特徴とする請求項４又は５に記載の照明器具。
【請求項７】
前記第１電源装置を、前記第２電源装置に対し、前記器具ケースの短手方向の他端側に斜めに設置したことを特徴とする請求項１記載の照明器具。
【発明の詳細な説明】
【技術分野】
【０００１】
本発明は、直管形のランプを常用照明と非常用照明とに兼用する照明器具に関するものである。
【背景技術】
【０００２】
従来の照明器具として、両端部にソケットを有する矩形形状の器具ケースと、器具ケースの厚み方向に貫通する電源孔と、器具ケースに設けられた取付部材と、電源孔の一部と重なるように取付部材に固定された非常用の第２電源装置とを備えたものがある（例えば、特許文献１参照）。
また、従来の照明器具として、両端部にソケットを有する矩形形状の器具ケースと、器具ケースの長手方向に沿って、蓄電池と、非常用の第２電源装置と、常用の第１電源装置とが順に配置されたものがある（例えば、特許文献２参照）。
【先行技術文献】
【特許文献】
【０００３】
【特許文献１】特開２０１６−１５７５３５号公報
【特許文献２】特開２０１３−１２７９００号公報
【発明の概要】
【発明が解決しようとする課題】
【０００４】
特許文献１に記載の照明器具では、電源ケーブルを電源孔に通す場合、器具ケースに取付部材を固定している蝶ナットを緩めて取付部材と共に第２電源装置を下げなければならず、また、電源ケーブルを電源孔に通した後には、緩めた蝶ナットを締め付けるという作業が必要となり、配線作業に手間がかかるという課題があった。
また、特許文献１に記載の照明器具では、第２電源装置が器具ケースのほぼ中央に設置されているため、取付孔の両側に複数の電線が配置されて配線が複雑になっていた。更に、配線が複雑になることにより、器具ケースの取付孔に吊りボルトを通して固定するときには配線を挟むおそれがあった。
特許文献２に記載の照明器具では、前述したように、蓄電池と、第２電源装置と、第１電源装置とが直列に配置されているため、取付孔及び電源孔を設ける位置が各部品の大きさにより制限されてしまい、器具ケースの取り付け、配線作業などの施工がし難いという課題があった。
【０００５】
本発明は、前述のような課題を解決するためになされたもので、容易に配線ができる照明器具を提供することを目的とする。
【課題を解決するための手段】
【０００６】
本発明に係る照明器具は、矩形の平板状に形成され、短手方向の中央の位置に厚み方向に貫通する電源孔、及び長手方向の電源孔を挟む両側の位置にそれぞれ厚み方向に貫通する第１及び第２取付孔を有する器具ケースと、器具ケースの長手方向の両端部に設けられ、直管形のランプが接続される給電用及び接地用のソケットと、交流電源の電力を用いてランプを点灯する第１電源装置と、交流電源からの給電が停止したときにランプを点灯する第２電源装置と、給電が停止したときに第２電源装置に電力を供給する蓄電池とを備え、第１電源装置は、第１取付孔よりも器具ケースの短手方向の一端部側寄りの位置であって、器具ケースの長手方向に沿って給電用のソケット寄りに設置され、第２電源装置は、器具ケースの短手方向の一端部と電源孔との間の位置であって、第１電源装置と第２取付孔との間に器具ケースの長手方向に沿って設置され、蓄電池は、器具ケースの短手方向の他端部側寄りの位置であって、電源孔を挟むように第２電源装置と並列に設置されている。
【発明の効果】
【０００７】
本発明によれば、第１電源装置を、第１取付孔よりも器具ケースの短手方向の一端部側寄りの位置に給電用のソケット寄りに設置し、第２電源装置を、器具ケースの短手方向の一端部と電源孔との間の位置であって、第１電源装置と第２取付孔との間に設置し、蓄電池を、器具ケースの短手方向の他端部側寄りの位置に第２電源装置とで電源孔を挟むように設置している。この構成により、容易に配線を行える照明器具を提供することができる。
【図面の簡単な説明】
【０００８】
【図１】本発明の実施の形態１に係る照明器具を分解して示す斜視図である。
【図２】図１に示す照明器具の外観図および縦断面図である。
【図３】図１の器具ケース上に配置された部品の平面図である。
【図４】図３に示す器具ケースの部品の配線図である。
【図５】本発明の実施の形態２に係る照明器具の器具ケース上に配置された部品の平面図である。
【図６】本発明の実施の形態３に係る照明器具を分解して示す斜視図である。
【図７】本発明の実施の形態３に係る照明器具の外観図および縦断面図である。
【図８】図６の器具ケース上に配置された部品の平面図である。
【図９】図８に示したＣ部の拡大斜視図である。
【図１０】本発明の実施の形態４に係る照明器具を分解して示す斜視図である。
【図１１】本発明の実施の形態４に係る照明器具の外観図および縦断面図である。
【図１２】図１０の器具ケース上に配置された部品の平面図である。
【発明を実施するための形態】
【０００９】
以下、本発明に係る照明器具の実施の形態について、図１〜図５を用いて説明する。
実施の形態１．
図１は本発明の実施の形態１に係る照明器具を分解して示す斜視図、図２は図１に示す照明器具の外観図および縦断面図、図３は図１の器具ケース上に配置された部品の平面図である。なお、図２（ａ）は照明器具の正面図、図２（ｂ）は照明器具の側面図、図２（ｃ）は（ａ）に示す矢視Ａ−Ａの縦断面図である。
【００１０】
図１〜図３において、本実施の形態１の照明器具１００は、例えば天井に直付けされる１灯用の照明器具である。照明器具１００は、器具ケース１０と、一対のソケット２０ａ、２０ｂと、第１電源装置３０と、第２電源装置４０と、蓄電池５０と、逆富士形の反射板６０と、直管形の例えばＬＥＤランプ７０と、点検スイッチ８０とを備えている。なお、この照明器具１００のＬＥＤランプ７０は、通常は常用照明の光源として使用され、交流電源である例えば商用電源の停電時に非常用照明の光源として使用される。
【００１１】
器具ケース１０は、鋼板などの板金により矩形状に形成された平板状で、短手方向の両端部が長手方向の全長に亘って下向きに折り曲げられている。器具ケース１０には、例えば図３に示すように、器具ケース１０の長手方向の中央および短手方向の中央となる位置、即ち器具ケース１０の中心位置に厚み方向に貫通する電源孔１１が設けられている。この電源孔１１は、商用電源に接続される電源ケーブル９１（図４参照）を照明器具１００内に引き込む孔である。
【００１２】
また、器具ケース１０の長手方向の電源孔１１を挟む両側の位置に厚み方向に貫通する第１及び第２取付孔１２ａ、１２ｂが設けられている。この第１及び第２取付孔１２ａ、１２ｂには、天井裏に設けられた鉛直下向きの２本の吊りボルトが挿入される。この器具ケース１０は、第１及び第２取付孔１２ａ、１２ｂに挿入された吊りボルトをナットで締め付けることによって、天井に取り付けられる。
【００１３】
一対のソケット２０ａ、２０ｂは、器具ケース１０の長手方向の両端部に固定されたソケット台２１に取り付けられている。一対のソケット２０ａ、２０ｂのうち、一方のソケット２０ａは給電用のソケットである。もう一方のソケット２０ｂは接地用のソケットである。各ソケット２０ａ、２０ｂには、ＬＥＤランプ７０の両端に設けられた口金７１がそれぞれ挿入される。
【００１４】
反射板６０には、矩形状のソケット孔６１と、ネジ挿通孔６２と、固定金具６３と、表示灯孔６４と、引き紐挿通孔６５とが設けられている。ソケット孔６１は、反射板６０の長手方向の両端部にそれぞれ設けられ、各ソケット２０ａ、２０ｂが挿入される。ネジ挿通孔６２は、反射板６０のソケット孔６１よりも内側の位置にそれぞれ設けられている。固定金具６３は、Ｕ字形状に形成され、反射板６０のソケット孔６１とネジ挿通孔６２との間の位置にそれぞれ取り付けられている。表示灯孔６４と引き紐挿通孔６５は、反射板６０の長手方向の片側寄りの位置であって、反射板６０の短手方向に並列に設けられている。
【００１５】
器具ケース１０に反射板６０を取り付ける場合、先ず、引き紐８３を引き紐挿通孔６５に通し、次いで、各ソケット２０ａ、２０ｂをそれぞれソケット孔６１に挿入する。そして、２本のネジ６７を、それぞれのネジ挿通孔６２に挿入して、ソケット台２１のネジ孔２２にネジ込んで、器具ケース１０に反射板６０を取り付ける。その後は、前述したように、ＬＥＤランプ７０の各口金７１をそれぞれソケット２０ａ、２０ｂに挿入して、ＬＥＤランプ７０の両端部を固定金具６３とランプカバー６６とで固定する。
【００１６】
ＬＥＤランプ７０は、各ネジ６８を、それぞれランプカバー６６に設けられたネジ挿通孔６６ａに挿入し、固定金具６３のネジ孔６３ａにネジ込むことで固定される。器具ケース１０に反射板６０を取り付けた際には、後述する充電表示灯８２が反射板６０の表示灯孔６４から突出する。
【００１７】
前述した器具ケース１０には、図１および図３に示すように、一対のソケット２０ａ、２０ｂの他に、第１電源装置３０と、第２電源装置４０と、蓄電池５０と、点検スイッチ８０とが取り付けられている。
【００１８】
第１電源装置３０は、外観が直方体形状に形成され、第１取付孔１２ａよりも器具ケース１０の短手方向の一端部側寄りの位置であって、器具ケース１０の長手方向に沿って給電用のソケット２０ａ寄りにネジで固定されている。この第１電源装置３０は、商用電源の電力を直流電力に変換し、ＬＥＤランプ７０を点灯する。
【００１９】
第２電源装置４０は、外観が直方体形状に形成され、器具ケース１０の短手方向の一端部と電源孔１１との間の位置であって、第１電源装置３０と第２取付孔１２ｂとの間に器具ケース１０の長手方向に沿って設置されている。また、この第２電源装置４０は、第１電源装置３０よりも器具ケース１０の短手方向の中央側寄りに設置されている。この配置により、第２電源装置４０と器具ケース１０の短手方向の一端部との間に空間が形成されている。この空間には、第２電源装置４０の１次側に接続された電線が配線される。第２電源装置４０は、通常時に蓄電池５０を充電し、商用電源からの給電が停止、即ち商用電源が停電したときに蓄電池５０からの電力を用いてＬＥＤランプ７０を点灯する。第２電源装置４０から蓄電池５０に充電を行っている間は、前述の充電表示灯８２が点灯する。
【００２０】
蓄電池５０は、外観が円筒形状に形成され、器具ケース１０の短手方向の他端部側寄りの位置であって、電源孔１１を挟むように第２電源装置４０と並列に設置されている。つまり、この蓄電池５０は、器具ケース１０の短手方向の他端部と電源孔１１との間の位置であって、その電源孔１１との間に空間を隔てて設置されている。この空間には、電源ケーブル９１と接続される電線が配線される。蓄電池５０は、取付金具５１と蝶ボルト５２とによって器具ケース１０に固定されている。この蓄電池５０は、例えば直列に接続された２個の蓄電池５０から構成され、商用電源が停電したときに第２電源装置４０に電力を供給する。
【００２１】
点検スイッチ８０は、器具ケース１０に固定された支持金具８１の片面に取り付けられている。なお、支持金具８１に一体に形成された支持片８１ａには、充電表示灯８２が取り付けられている。この点検スイッチ８０は、内部スイッチをオン／オフする引き紐８３を備え、この引き紐８３の操作により内部スイッチがオフされたとき、第２電源装置４０への電力の供給を停止させる。つまり、点検スイッチ８０をオフ操作したときに、蓄電池５０からの電力によりＬＥＤランプ７０が点灯するかどうかを点検する。
【００２２】
なお、第１電源装置３０、第２電源装置４０、蓄電池５０及び点検スイッチ８０を、前述のように配置（図３参照）することにより、第１取付孔１２ａ側の周囲には、新たな部材を追加できる空間が形成されている。この空間には、例えば蓄電池を追加することができる。
【００２３】
次に、前記のように構成された照明器具１００の内部配線について、図３及び図４を用いて説明する。図４は、図３に示す器具ケースの部品の配線図である。商用電源に接続される電源ケーブル９１は、器具ケース１０の電源孔１１から照明器具１００内に引き込まれ、後述する電線ａ、ｂ、ｃと接続される。なお、電源ケーブル９１に接続されたスイッチ９２は、照明器具１００のＬＥＤランプ７０を点灯したり、消灯するスイッチである。
【００２４】
第２電源装置４０の１次側に接続された電線ｂ、ｄは、器具ケース１０の一端部と第２電源装置４０との間に配線され、そのうち一方の電線ｄは、点検スイッチ８０に接続されている。もう一方の電線ｂは、第１電源装置３０の１次側に接続された電線ｃと点検スイッチ８０に接続された電線ａと共に、電源孔１１と蓄電池５０との間に配線されている。この３本の電線ａ、ｂ、ｃは、電源ケーブル９１と接続される。電源ケーブル９１と各電線ａ、ｂ、ｃは、それぞれ被覆を剥がして結線される。第１電源装置３０の１次側に接続された電線ｅは、点検スイッチ８０に接続されている。
【００２５】
また、第１電源装置３０の２次側に接続された電線ｆ、ｇのうち、一方の電線ｆは給電用のソケット２０ａに接続され、もう一方の電線ｇは、電線ｈ、ｉと共に、第１電源装置３０の片側寄りに第１電源装置３０の長手方向に沿って配線されている。この３本の電線ｇ、ｈ、ｉのうち、電線ｇは、第２電源装置４０の２次側に接続され、残り２本の電線ｈ，ｉは、第２電源装置４０の２次側と給電用のソケット２０ａとを接続している。
【００２６】
更に、第２電源装置４０の１次側に接続された２本の電線ｊ、ｋは、接地用のソケット２０ｂと第２取付孔１２ｂとの間に配線されて蓄電池５０と接続される。なお、図３では、蓄電池５０と第２電源装置４０とが外れている状態となっているが、コネクタで蓄電池５０と第２電源装置４０とが互いに接続される。
【００２７】
以上のように本実施の形態１においては、以下に示す効果が得られている。
（１）第１電源装置３０に直列に設置された第２電源装置４０とこの第２電源装置４０に並列に設置された蓄電池５０との間に電源孔１１を設けている。この構成により、従来技術のように第２電源装置が電源孔と重なるようなことがなくなり、電源ケーブル９１の照明器具１００内への引き込みが容易になっている。
（２）第１電源装置３０を器具ケース１０の短手方向の一端部側寄りに設置し、第２電源装置４０を第１電源装置３０よりも器具ケース１０の短手方向の中央側寄りに設置している。この構成により、電線ｇ、ｈ、ｉを第１電源装置３０の片側寄りに第１電源装置３０の長手方向に沿って直線状に配線することができる。このため、吊りボルトを第１取付孔１２ａに取り付けるときの電線との干渉を防ぐことができる。
（３）前述したように、第２電源装置４０を第１電源装置３０よりも器具ケース１０の短手方向の中央側寄りに設置しているので、第２電源装置４０の１次側に接続された電線ｂ、ｄを器具ケース１０の一端部との間に配線することができる。また、この配線により、他の電線と混在してわかり難くいということがない。
（４）また、電源ケーブル９１と接続する電線ａ、ｂ、ｃを電源孔１１と蓄電池５０との間に配線できるようにしているので、部品組み立て時の配線を簡素化することができる。
（５）第２電源装置４０の１次側に接続された２本の電線ｊ、ｋを接地用のソケット２０ｂと第２取付孔１２ｂとの間に配線して他の電線と混在しないようにしているので、蓄電池５０の交換するときに他の電線と絡まるようなことがない。
（６）第１電源装置３０と第１取付孔１２ａとの間及び蓄電池５０と電源孔１１との間を配線することができるので、配線が混在するようなことがなくなり、配線の簡素化を図ることができる。更に、その配線の簡素化により、第１及び第２取付孔１２ａ、１２ｂを跨がって配線されるようなことがなくなり、器具ケース１０の取り付けが容易になる。
【００２８】
実施の形態２．
図５は本発明の実施の形態２に係る照明器具の器具ケース上に配置された部品の平面図である。なお、図１〜図３に示した実施の形態１と同様の部分には同じ符号を付している。実施の形態２の照明器具１０１では、第２電源装置４０を、蓄電池５０とで電源孔１１を挟むように、器具ケース１０の長手方向に沿って設置された第１電源装置３０に対し、器具ケース１０の短手方向の他端部側に斜めに設置している。なお、図５では、蓄電池５０と第２電源装置４０とが外れている状態となっているが、コネクタで蓄電池５０と第２電源装置４０とが互いに接続される。この構成により、実施の形態１と同様の効果が得られる。
【００２９】
なお、本実施の形態２では、第２電源装置４０を、第１電源装置３０に対し、器具ケース１０の短手方向の他端側に斜めに設置したが、これに限定されるものではない。例えば、第１電源装置３０を、器具ケース１０の長手方向に沿って設置された第２電源装置４０に対し、器具ケース１０の短手方向の他端側に斜めに設置するようにしても良い。このような場合も、実施の形態１と同様の効果が得られる。
【００３０】
実施の形態１、２では、照明器具１００のランプとして直管形のＬＥＤランプ７０としたが、これに代えて、直管形の蛍光ランプでも良い。また、実施の形態１、２では、電源ケーブル９１と各電線ａ、ｂ、ｃとは、それぞれ被覆を剥がして結線されることを述べたが、電源孔１１と接地用のソケット２０ｂ側の第２取付孔１２ｂとの間に電源ケーブル９１と電線ａ、ｂ、ｃとを接続する端子台を設けても良い。
【００３１】
実施の形態３．
次に、実施の形態３に係る照明器具１０２を図６〜図９に基づいて説明する。図６は、本発明の実施の形態３に係る照明器具を分解して示す斜視図である。図７は、本発明の実施の形態３に係る照明器具の外観図および縦断面図である。図８は、図６の器具ケース上に配置された部品の平面図である。図９は、図８に示したＣ部の拡大斜視図である。なお、図７（ａ）は照明器具の正面図、図７（ｂ）は照明器具の平面図、図７（ｃ）は（ａ）に示すＢ−Ｂ線矢視断面図である。なお、実施の形態１及び２で説明した照明器具１００及び１０１と同一の構成について、同一の符号を付して、その説明を適宜省略する。
【００３２】
実施の形態３の照明器具１０２では、第２電源装置４０を、蓄電池５０とで電源孔１１を挟むように、器具ケース１０の長手方向に沿って設置された第１電源装置３０に対し、器具ケース１０の短手方向の他端部側に斜めに設置したものであって、実施の形態２における第２電源装置４０とは逆向きに配置した構成である。具体的には、第２電源装置４０は、電源孔１１側の端部が、電源孔１１よりも器具ケース１０の短手方向の他端部側に位置している。そして、第２電源装置４０は、電源孔１１側の端部とは反対側の端部が、電源孔１１よりも器具ケース１０の短手方向の一端部側に位置している。なお、第２電源装置４０を斜めに配置するとは、第１取付孔１２ａと第２取付孔１２ｂとを結ぶ基準線に対して斜めに配置すること、又はＬＥＤランプ７０に対して斜めに配置することである。また、蓄電池５０は、第１電源装置３０と器具ケース１０の短手方向の他端部側との間に配置され、ボルトと蝶ナット５３によって器具ケース１０に固定されている。蓄電池５０と第２電源装置４０は、図８及び図９の場合、接続されていない状態となっているが、実際にはコネクタで互いに接続される。また、ＬＥＤランプ７０は、各ネジ６８を、それぞれランプカバー６６に設けられたネジ挿通孔６６ａに挿入し、反射板６０に設けたネジ挿通孔６６ｂにネジ込むことで固定される。実施の形態３の照明器具１０２は、上記構成により、実施の形態１の照明器具１００と同様の効果が得られる。
【００３３】
更に言えば、実施の形態３に係る照明器具１０２は、従来技術のように第２電源装置４０が電源孔１１と重なるような不具合がないため、第２電源装置４０を可動させて電源孔１１を露出させる手間が不要であり、電源ケーブル９１の照明器具１０２内への引き込みが容易である。
【００３４】
また、実施の形態３に係る照明器具１０２は、電源孔１１と第２取付孔１２ｂとの距離よりも大きい長さを有する第２電源装置４０を設置する場合であっても、スペースをうまく活用して配置できるので、器具ケース１０の小型化に寄与することができる。
【００３５】
また、実施の形態３に係る照明器具１０２は、逆富士形の反射板６０との関係において、広いスペースを形成できる底板近傍に第２電源装置４０を配置して、傾斜面との干渉を避けた構成なので、反射板６０の小型化に寄与することができる。
【００３６】
また、実施の形態３に係る照明器具１０２は、第２電源装置４０が器具ケース１０の短手方向の一方側に偏らないように重量バランスを考慮して配置されているので、天井等への取付作業の作業性を高めることができるし、天井等への取付状態の安定性を高めることもできる。
【００３７】
また、実施の形態３に係る照明器具１０２は、第２電源装置４０を上記配置とすることで、第２電源装置４０と器具ケース１０の短手方向の一端側に端子台１３を設けるスペースが生まれ、当該スペースに端子台１３を設けることで、端子台１３と第１電源装置３０及び第２電源装置４０の双方とを近接させることができる。よって、照明器具１０２では、第１電源装置３０及び第２電源装置４０と、端子台１３とを電線で接続する際の配線が容易となる。更に、当該スペースに端子台１３を設けることで、第１電源装置３０と器具ケース１０の短手方向の他端部との間に蓄電池５０を設置するための十分なスペースが生まれるため、当該蓄電池５０を他の部品から離して配置することも可能となる。つまり、蓄電池５０が何らかの原因で発火するようなことがあっても、他の部品が延焼する事態を抑制できる。
【００３８】
なお、実施の形態３の照明器具１０２において説明した作用効果は、実施の形態２の照明器具１０１の構成においても同様に得られるものである。
【００３９】
実施の形態４．
次に、実施の形態４に係る照明器具１０３を図１０〜図１２に基づいて説明する。図１０は、本発明の実施の形態４に係る照明器具を分解して示す斜視図である。図１１は、本発明の実施の形態４に係る照明器具の外観図および縦断面図である。図１２は、図１０の器具ケース上に配置された部品の平面図である。なお、図１１（ａ）は照明器具の正面図、図１１（ｂ）は照明器具の平面図、図１１（ｃ）は（ａ）に示すＤ−Ｄ線矢視断面図である。また、図１２では、電線を省略した状態を示している。また、実施の形態１〜３で説明した照明器具と同一の構成について、同一の符号を付して、その説明を適宜省略する。
【００４０】
実施の形態４に係る照明器具１０３は、実施の形態３で説明した構成をベースにＬＥＤランプ７０を２灯で構成したものである。そのため、実施の形態４の照明器具１０３は、図９〜図１１に示すように、一対のソケット２０ａ及び２０ｂが２つ設けられ、倒立三角形状の反射板６９を設けている。その他の主要な構成は、図６〜図９に示した１灯用の照明器具１０２と同じである。
【００４１】
実施の形態４における第２電源装置４０も、電源孔１１側の端部が、電源孔１１よりも器具ケース１０の短手方向の他端部側に位置している。そして、第２電源装置４０は、電源孔１１側の端部とは反対側の端部が、電源孔１１よりも器具ケース１０の短手方向の一端部側に位置している。つまり、実施の形態４の照明器具は、最もスペースを確保できる反射板６０の三角形の頂部に第２電源装置４０を配置することができる。そのため、実施の形態４の照明器具１０３では、倒立三角形状の反射板６０を使用した２灯用の照明器具であっても、第２電源装置４０が傾斜面と干渉することがなく、反射板６０を最小限の大きさで構成でき、ひいては器具ケース１０の小型化に寄与することができる。なお、２灯用で構成した照明器具１０３も、実施の形態１〜３で説明した構成と同様の効果を奏することができる。
【符号の説明】
【００４２】
１０  器具ケース、１１  電源孔、１２ａ  第１取付孔、１２ｂ  第２取付孔、１３  端子台、２０ａ、２０ｂ  ソケット、２１  ソケット台、２２  ネジ孔、３０  第１電源装置、４０  第２電源装置、５０  蓄電池、５１  取付金具、５２  蝶ボルト、５３  蝶ナット、６０  反射板、６１  ソケット孔、６２  ネジ挿通孔、６３  固定金具、６３ａ  ネジ孔、６４  表示灯孔、６５  引き紐挿通孔、６６  ランプカバー、６６ａ、６６ｂ  ネジ挿通孔、６７、６８  ネジ、６９  反射板、７０  ＬＥＤランプ、７１  口金、８０  点検スイッチ、８１  支持金具、８１ａ  支持片、８２  充電表示灯、８３  引き紐、９１  電源ケーブル、９２  スイッチ、１００、１０１、１０２、１０３  照明器具、ａ、ｂ、ｃ、ｄ、ｅ、ｆ、ｇ、ｈ、ｉ、ｊ、ｋ  電線。
【図１】
2018101611.tif 000003
【図２】
2018101611.tif 000004
【図３】
2018101611.tif 000005
【図４】
2018101611.tif 000006
【図５】
2018101611.tif 000007
【図６】
2018101611.tif 000008
【図７】
2018101611.tif 000009
【図８】
2018101611.tif 000010
【図９】
2018101611.tif 000011
【図１０】
2018101611.tif 000012
【図１１】
2018101611.tif 000013
【図１２】
2018101611.tif 000014